(57)【要約】【課題】本発明は、座席、特に航空機のエコノミー・クラスの座席用の引き出し可能なグラス・ホルダを提供する。【解決手段】このグラス・ホルダ（３）は座席（１）のアームレスト（２）に収容されて、ここから引き出し可能であり、当該アームレスト（２）からグラス・ホルダ（３）を引き出す機構（５）が設けられ、前記グラス・ホルダ（３）は、後退位置と引き出し使用位置をとることのできる態様で、アームレスト（２）に対して長手方向に移動可能な剛性アーム（７）と、前記グラス・ホルダ（３）がアームレスト（２）内の後退位置にある場合に閉位置をとり、前記グラス・ホルダが引き出し位置にある場合は開位置をとれるような態様で、前記剛性アーム（７）上で旋回する可動アームまたはフィンガ（９）とで構成され、前記剛性アーム（７）および可動アーム（９）は、使用状態では、グラスを支持できるような形状を有する。【選択図】　　　図１
2004067083.tif 000002
【特許請求の範囲】
【請求項１】
座席、特に航空機のエコノミー・クラスの座席用の引き出し可能なグラス・ホルダで、前記グラス・ホルダは座席のアームレストに収容されて、ここから引き出し可能であり、当該アームレストから前記グラス・ホルダを引き出す機構が設けられ、前記グラス・ホルダは、後退位置と引き出し使用位置をとることのできるような態様でアームレストに対して長手方向に移動可能な剛性アームと、前記グラス・ホルダがアームレスト内の後退位置にある場合に閉位置をとり、前記グラス・ホルダが引き出し位置にある場合は開位置をとれるような態様で、前記剛性アーム上で旋回する可動アームまたはフィンガとで構成され、前記剛性アームおよび可動アームは、使用状態では、グラスを支持できるような形状を有することを特徴とする引き出し可能なグラス・ホルダ。
【請求項２】
前記引き出し機構が、グラス・ホルダの剛性アームを引き出す押出要素を備えることを特徴とする、請求項１に記載の座席用の引き出し可能なグラス・ホルダ。
【請求項３】
前記剛性アームが、支持されるグラスの形状に一致するような内部形状部を有することを特徴とする、請求項１から２のいずれか１項に記載の座席用の引き出し可能なグラス・ホルダ。
【請求項４】
前記可動アームまたはフィンガが、グラスの外形に対応する湾曲形状を有することを特徴とする、請求項１から３のいずれか１項に記載の座席用の引き出し可能なグラス・ホルダ。
【請求項５】
前記アームレスト上のグラス・ホルダの前部にグラス・ホルダ保護ドアを設けることを特徴とする、請求項１から４のいずれか１項に記載の座席用の引き出し可能なグラス・ホルダ。
【発明の詳細な説明】
【０００１】
【発明の属する技術分野】
本発明は、座席、特に航空機のエコノミー・クラスの座席用の引き出し可能なグラス・ホルダ（ｅｘｔｒａｃｔａｂｌｅ　ｇｌａｓｓ−ｈｏｌｄｅｒ）に関する。
【０００２】
特に、本発明は、狭いアームレストの限られた空間内に収容され、安全状態で支持するためにグラスを受け取るようにこのアームレストから引き出すこともできるような態様で実現される上記の種類のグラス・ホルダに関する。
【０００３】
【従来の技術】
本明細書は、以下では特に、エコノミー・クラス用の航空機の座席に使用するグラス・ホルダを指向するが、これを本発明の範囲の制限に使用できないことは明白である。列車など、他の種類の座席にも、同じ解決法を適用できるからである。
【０００４】
周知のように、旅行用座席を実現する場合、製造業者は、常に旅行者の快適さを向上させることを目的とするが、常に使用可能な空間の観点から制限を受けている。
【０００５】
特にエコノミー・クラスの座席では、現在、グラス保持トレイをアームレストに内蔵するには、ビジネス・クラスの座席ほどの可能性がない。というのは、アームレストの長さが非常に短くなっており、したがって旅行のサービス用に通常使用するタイプのグラスを収容するような寸法を有するグラス・ホルダを、その中に収容することができないからである。
【０００６】
現在、グラスを置くためにエコノミー・クラスで使用可能な唯一の解決法は、これを、前の座席の背もたれに設けた、または第１列の座席の場合は、おなじアームレスト内に設けた小さいテーブルに置くことである。
【０００７】
これは、特にテーブルの寸法やその開放状態で生じる不快さの点で、明らかに実際的な解決法ではない。
【０００８】
また一方で、飲物の配布から使用済みグラスの撤収までの間にグラスを載せる要素を自由に有することのできる必要がある。
【０００９】
最適の解決法は、座席のアームレスト内にグラス支持部、つまりビジネス・クラスの座席のように、グラスを載せるため、寸法を小型化したテーブルを設けることであるが、前記解決法は、座席のアームレストに設けられる空間が不十分なため、使用しない場合に収容できないので、不可能である。
【００１０】
この状況において、エコノミー・クラスの座席のアームレスト内にも収容でき、ここから引き出した時に、標準的なグラスを支持するのに十分な寸法を有するような態様で実現されるグラス・ホルダを提供する、本発明による解決法が提供される。
【００１１】
【発明が解決しようとする課題】
したがって、座席、特に航空機のエコノミー・クラスの座席用の引き出し可能なグラス・ホルダにおいて、前記グラス・ホルダが座席のアームレストに収容されて、かつここから引き出し可能であり、当該アームレストからグラス・ホルダを引き出す機構が設けられ、前記グラス・ホルダは、後退位置と引き出し使用位置をとることのできるような態様で、アームレストに対して長手方向に移動可能な剛性アームと、前記グラス・ホルダがアームレスト内の後退位置にある場合に閉位置をとり、前記グラス・ホルダが引き出し位置にある場合は開位置をとれるような態様で、前記剛性アーム上で旋回する可動アームまたはフィンガとで構成され、前記剛性アームおよび可動アームは、使用状態では、グラスを支持できるような形状を有するグラス・ホルダが、本発明の特定の目的である。
【００１２】
【課題を解決するための手段】
本発明により、前記引き出し機構は、グラス・ホルダの剛性アームを引き出す押出要素を備えることが好ましい。
【００１３】
常に本発明により、前記剛性アームは、支持されるグラスの形状と一致するような内部形状部（ｉｎｎｅｒ　ｓｈａｐｅｄ　ｐａｒｔ）を有する。
【００１４】
さらに、本発明によると、前記可動アーム、またはフィンガは、グラスの外形に対応する湾曲形状を有する。
【００１５】
さらに、本発明によると、前記アームレスト上のグラス・ホルダ前部に、グラス・ホルダ保護ドアを設ける。
【００１６】
次に、本発明をその好ましい実施形態により、制限目的ではなく例示するが、特に添付図面の図を参照しながら説明する。
【００１７】
【発明の実施の形態】
添付図面の全ての図を見ると、全体として参照番号１で示される、エコノミー・クラスの航空機座席が図示され、これはひっくり返るアームレスト２を備え、その中に本発明によるグラス・ホルダが収容され、前記グラス・ホルダは全体として参照番号３で示される。
【００１８】
アームレスト２の前部に、グラス・ホルダ３に対応してドア４が設けられ、これを持ち上げないと、アームレスト２内に収容されたグラス・ホルダ３を引き出すことができず、使用してはならない時にはこれを保護する。
【００１９】
アームレスト２内には、全体として参照番号５で示された機構が設けられ、これには、引き出す時にグラス・ホルダ３を前方に押しやるようにするスナップ要素６を設ける。
【００２０】
前記グラス・ホルダ３は、半円形の座８が実現されて、グラス（図示せず）の外側部分と結合されるアーム７と、前記アーム上で参照番号１０で示される場所で旋回し、グラスの外側部分と一致するような態様で、わずかに湾曲している要素、またはフィンガ９と、で構成される。
【００２１】
フィンガ９は、本発明によるグラス・ホルダ３がアーム内に収容されると、ピン１０を中心にアーム７に向かって回転して閉鎖し、グラス・ホルダの水平方向の寸法を減少させ、アームレスト２内に導入できるようにする。
【００２２】
グラス・ホルダ３が引き出されると、フィンガ９は開いて、グラスを支持できるよう、図３の位置に到達するまで、常にピン１０を中心に回転する。
【００２３】
以上から明白に理解できるように、本発明により示唆される解決法は、上述した欠点を全て解決することができ、非常に小さいアームレスト内にグラス・ホルダを収容することが可能である。
【００２４】
本発明を、好ましい実施形態により、例示的に、しかし制限目的はなく説明してきたが、添付請求の範囲で定義されたような当該範囲から逸脱することなく、当業者には変形および／または変更を導入できることを理解されたい。
【図面の簡単な説明】
【図１】本発明によるグラス・ホルダを有するエコノミー・クラスの航空機座席アームレストの略図である。
【図２】休止位置にある、本発明によるグラス・ホルダを示す。
【図３】引き出し位置にある、本発明によるグラス・ホルダを示す。
【図３ａ】当該グラス・ホルダの前進機構を示す。
【図３ｂ】当該グラス・ホルダの前進機構を示す。
【図４】当該アームレストから外した、本発明によるグラス・ホルダの要素を示す。
【符号の説明】
１　座席
２　アームレスト
３　グラス・ホルダ
４　ドア
５　引き出し機構
６　スナップ要素
７　アーム
８　座
９　フィンガ
１０　ピン
【図１】
2004067083.tif 000003
【図２】
2004067083.tif 000004
【図３】
2004067083.tif 000005
【図３ａ】
2004067083.tif 000006
【図３ｂ】
2004067083.tif 000007
【図４】
2004067083.tif 000008